(57)【特許請求の範囲】
【請求項１】
上部基板、前記上部基板に合着された下部基板、及び前記上部基板の前面に付着されるフィルム部材を含むディスプレイパネル；
接着部材により前記ディスプレイパネルの後面縁部に結合されるガイドフレーム；
前記ディスプレイパネル及び前記ガイドフレームを格納し、前記ディスプレイパネルの側面をカバーするカバー部材；及び
前記ディスプレイパネルの側面と前記カバー部材との間のバンパー部を含み、
前記フィルム部材が長さ方向に前記上部基板の端より長く延びた突出部を含み、バンパー部が突出部の後面を支え、長さ方向に、突出部の端よりも伸びている、ディスプレイ装置。
【請求項２】
前記突出部は、横方向にも延び、バンパー部が横方向にも、突出部の端よりも伸びている、請求項１に記載のディスプレイ装置。
【請求項３】
前記突出部は、双方の長手方向に延び、バンパー部が双方の長手方向で、突出部の端よりも伸びている、請求項１または２に記載のディスプレイ装置。
【請求項４】
前記突出部は、横方向の一方に延び、バンパー部が横方向の当該一方で、突出部の端よりも伸びている、請求項１ないし３のいずれか一項に記載のディスプレイ装置。
【請求項５】
前記バンパー部が前記突出部の側面をカバーする、請求項１ないし４のいずれか一項に記載のディスプレイ装置。
【請求項６】
前記バンパー部は、前記突出部の上面より高く延びる、請求項１ないし５のいずれか一項に記載のディスプレイ装置。
【請求項７】
前記カバー部材は、前記ディスプレイパネルの側面をカバーする垂直部を含み、前記垂直部の高さは前記ディスプレイパネルの上面と同じである、請求項１ないし６のいずれか一項に記載のディスプレイ装置。
【請求項８】
前記カバー部材と前記フィルム部材との間に、前記ディスプレイパネルより高く形成される支持パッドをさらに含む、請求項１ないし７のいずれか一項に記載のディスプレイ装置。
【請求項９】
前記支持パッドは、ゴム、ウレタン、またはポリカーボネートで作られている、請求項８に記載のディスプレイ装置。
【請求項１０】
前記フィルム部材の前面に結合されたリターダフィルムをさらに含む、請求項１ないし９のいずれか一項に記載のディスプレイ装置。
【請求項１１】
ディスプレイ装置の製造方法であって、前記ディスプレイ装置は
上部基板、前記上部基板に合着された下部基板、及び前記上部基板の前面に付着されるフィルム部材を含むディスプレイパネル；
接着部材により前記ディスプレイパネルの後面縁部に結合されるガイドフレーム；
前記ディスプレイパネル及び前記ガイドフレームを格納し、前記ディスプレイパネルの側面をカバーするカバー部材；及び
前記ディスプレイパネルの側面と前記カバー部材との間の空間を十分に埋めるバンパー部；
を含み、前記製造方法は、
前記上部基板の前面に長さ方向に前記上部基板の端より長く延びる前記フィルム部材を形成する段階；
前記上部基板の側面から延び、前記フィルム部材を支持し、前記フィルム部材の末端より長さ方向に長く延びる前記バンパー部を形成する段階；
接着部材により前記ディスプレイパネルの後面縁部に結合されるガイドフレームを形成する段階；及び
前記上部基板、ガイドフレーム、フィルム部材、及びバンパー部を格納するカバー部材を形成する段階を含む、製造方法。
【請求項１２】
前記フィルム部材は、前記上部基板の端より横方向にも延び、バンパー部が横方向にも、フィルム部材の端よりも伸びている、請求項１１に記載のディスプレイ装置の製造方法。
【請求項１３】
前記フィルム部材は、双方の長手方向に延び、バンパー部が双方の長手方向で、フィルム部材の端よりも伸びている、請求項１１または１２に記載のディスプレイ装置の製造方法。
【請求項１４】
前記フィルム部材は、横方向の一方に延び、バンパー部が横方向の当該一方で、フィルム部材の端よりも伸びている、請求項１１ないし１３のいずれか一項に記載のディスプレイ装置の製造方法。
【請求項１５】
前記フィルム部材を形成する段階は、
前記上部基板の前面に前記フィルム部材を形成した後、前記フィルム部材が長さ方向に前記上部基板の端より長く延びる突出部を有するように、前記フィルム部材を切断する段階をさらに含む、請求項１１ないし１４のいずれか一項に記載のディスプレイ装置の製造方法。
【請求項１６】
前記フィルム部材を形成する段階は、
前記上部基板の前面に前記フィルム部材を形成する前に、前記フィルム部材が長さ方向に前記上部基板の端より長く延びる突出部を有するように、前記フィルム部材を切断する段階をさらに含むことを特徴とする、請求項１１ないし１４のいずれか一項に記載のディスプレイ装置の製造方法。
【請求項１７】
前記フィルム部材は、レーザーを用いて切断される、請求項１１ないし１６のいずれか一項に記載のディスプレイ装置の製造方法。
【発明の詳細な説明】
【技術分野】
【０００１】
本発明は、ディスプレイ装置に関するものであり、より具体的には、ケース及びセットカバーなどの一部を除去して厚さをより薄くし、前面枠部の幅をより小さくすると共に前面枠部の段差を除去できるようにしたディスプレイ装置及びその製造方法に関する。
【背景技術】
【０００２】
平板形状のディスプレイ装置としては、液晶表示装置（Ｌｉｑｕｉｄ  Ｃｒｙｓｔａｌ  Ｄｉｓｐｌａｙ  Ｄｅｖｉｃｅ）、プラズマディスプレイパネル（Ｐｌａｓｍａ  Ｄｉｓｐｌａｙ  Ｐａｎｅｌ）、電界放出表示装置（Ｆｉｅｌｄ  Ｅｍｉｓｓｉｏｎ  Ｄｉｓｐｌａｙ  Ｄｅｖｉｃｅ）、発光表示装置（Ｌｉｇｈｔ  Ｅｍｉｔｔｉｎｇ  Ｄｉｓｐｌａｙ  Ｄｅｖｉｃｅ）などが活発に研究されているが、量産化技術、駆動手段の容易性、高画質の具現というメリットのため、液晶表示装置が脚光を浴びている。
【０００３】
最近、平板ディスプレイ装置においては、技術的な側面での研究開発と共に、需要者により強くアピールできる製品のデザイン的な側面で研究開発に力を注ぐ必要性が一層高まってきている。これによって、ディスプレイ装置の厚さを最小化（スリム化）する努力が常に行われており、需要者の美的感覚に訴えて購買意欲を刺激するような美感が向上したデザインに対する要求が次第に増進されている。
【０００４】
しかし、現在まで進まれてきたディスプレイ装置のスリム化または美感を増進するためのデザイン開発は、従来のディスプレイ装置を構成する構成要素をそのまま採用するものの、その構成要素の構造を変更する方式で行われたため、ディスプレイ装置のスリム化や新しいデザインの開発には若干の限界があった。
【０００５】
例えば、液晶表示装置の場合、従来は液晶ディスプレイパネルとバックライトユニットを収容するために、下部ケースと上部ケースを用いることが必需でった。なお、ノートパソコン、モニター、モバイル機器またはテレビなどの場合は、その製品化のために別途の前面セットカバーと背面セットカバーが追加的に用いられてきた。
【０００６】
このように、下部ケースと上部ケース並びに製品の前面及び背面セットカバーが必需的に用いられることから、液晶表示装置の厚さを減らしたりデザインを変更することに限界があった。特に、上部ケース及び前面セットカバーは、液晶ディスプレイパネルの前面縁部を必ず覆うようになるため、液晶表示装置の厚さがさらに厚くなると共に、液晶表示装置の縁幅が広くなり、その縁部の段差により様々で革新的なデザインの考案を妨げる結果となった。
【発明の概要】
【発明が解決しようとする課題】
【０００７】
したがって、本発明が達成しようとする技術的課題は、ケース及びセットカバーの一部を除去して厚さをより薄くし、前面縁部の幅をより小さくすると共に前面縁部の段差を除去できるようにしたディスプレイ装置及びその製造方法を提供することにある。
【課題を解決するための手段】
【０００８】
本発明は、前述したような目的を達成するために、上部基板、前記上部基板に合着された下部基板、及び前記上部基板の前面に付着されるフィルム部材を含むディスプレイパネル；前記ディスプレイパネルを格納し、前記ディスプレイパネルの側面をカバーするカバー部材；及び前記ディスプレイパネルの側面と前記カバー部材との間のバンパー部を含み、前記フィルム部材が長さ方向、または横方向、または双方の方向に前記上部基板の端より長く延長形成された突出部を含み、バンパー部が突出部の後面を支え、長さ方向、または横方向、または双方の方向に、突出部の端よりも伸びているディスプレイ装置を提供する。本明細において、「長さ方向」はディスプレイ装置の長い辺に沿った方向を指し、「横方向」はディスプレイ装置の短い辺に沿った方向を指す。ディスプレイが正方形の場合、双方の方向が「長さ方向」となり、また、長さ方向に直交する他の方向が「横方向」となりうる。
【０００９】
かつ、本発明は、前述したような目的を達成するために、上部基板の前面に長さ方向、または横方向、または双方の方向に前記上部基板の端より長く延長されるフィルム部材を形成する段階；前記上部基板の側面から延び、前記フィルム部材を支持し、前記フィルム部材の末端より長さ方向、または横方向、または双方の方向に延びるバンパー部を形成する段階；及び前記上部基板、フィルム部材、及びバンパー部を格納するカバー部材を形成する段階を含む、本発明のディスプレイ装置の製造方法を提供する。
【発明の効果】
【００１０】
本発明によれば、次のような効果を得ることができる。
【００１１】
第一、上部ケース及び前面セットカバーを除去して厚さ及び前面縁部の幅をより小さくすると共に、縁部の段差を除去してデザイン的な側面の美感を向上させることができる。
【００１２】
第二、ディスプレイパネルとカバー部材との間にバンパー部を設けてフィルム部材の剥離を防止し、ディスプレイパネルの内部に湿気などが浸透することを防止することができる。
【図面の簡単な説明】
【００１３】
【図１】本発明に係るディスプレイ装置が適用され得る一実施例を示す斜視図である。
【図２】本発明に係るディスプレイ装置の一実施例を示す平面図である。
【図３】図２におけるＡ−Ａ線の断面を示す断面図である。
【図４】本発明に係るディスプレイ装置の他の実施例を示す断面図である。
【図５】本発明に係るディスプレイ装置の他の実施例を示す断面図である。
【図６】本発明に係るディスプレイ装置の他の実施例を示す断面図である。
【図７】本発明に係るディスプレイ装置の他の実施例を示す断面図である。
【図８】本発明に係るディスプレイ装置の他の実施例を示す断面図である。
【図９ａ】本発明に係るディスプレイ装置の製造方法を示す図面である。
【図９ｂ】本発明に係るディスプレイ装置の製造方法を示す図面である。
【図９ｃ】本発明に係るディスプレイ装置の製造方法を示す図面である。
【発明を実施するための形態】
【００１４】
以下、本発明について図面を参照して詳細に説明する。
【００１５】
本発明の実施例を説明するにおいて、第１の構造物が第２の構造物の“前面に”、“後面に”、または “側面に”形成されると記載されている場合、かかる記載はこれらの構造物がお互い接触している場合は勿論、これらの構造物の間に第３の構造物が介在されている場合も含むと解されるべきである。また、第１の構造物が第２の構造物よりも“長さ方向に”延びると記載されている場合、第１の構造物は第２の構造物よりも、一方向（長さ方向、または横方向、または双方の方向に）、または二方向（長さ方向の双方の辺、または横方向の双方の辺を越えて延びることを意味する）、またはこれらを組み合わせた方向に延びることを含むと解されるべきである。
【００１６】
図１は本発明に係るディスプレイ装置が適用され得る一実施例を示す斜視図であり、図２は図１による本発明に係るディスプレイ装置の一実施例を示す平面図で、図３は図２のＡ−Ａ線の断面を示す断面図である。
【００１７】
図１乃至図３から分かるように、本発明に係るディスプレイ装置の一実施例は、ディスプレイパネル１００、デコカバー１７０、バックライトユニット２００、カバー部材３００及びバンパー部４００を含むことができる。
【００１８】
ディスプレイパネル１００は、上部基板１１０、液晶層（不図示）を介在させて上部基板１１０に対向して合着された下部基板１２０、下部基板１２０の後面に形成された下部偏光フィルム１３０、及び上部基板１１０の前面に上部基板１１０より長く形成されたフィルム部材１４０を含むことができる。
【００１９】
下部基板１２０は、複数のゲートライン（不図示）と複数のデータライン（不図示）により交差される領域毎に形成された複数の画素（不図示）を含む。各画素は、ゲートラインとデータラインに接続された薄膜トランジスター（不図示）及び薄膜トランジスターに接続された画素電極並びに画素電極に隣接するように形成されて共通電圧が供給される共通電極を含んで構成されることができる。このとき、共通電極は液晶層の駆動方式によって上部基板１１０に形成されてもよい。かかる各画素に印加されるデータ電圧と共通電圧の差電圧に対応される電界を形成することで、液晶層の光透過率を調節する。
【００２０】
上部基板１１０は、下部基板１２０に形成された各画素に対応されるカラーフィルターを含むように構成されて、液晶層を介在させて下部基板１２０と対向して合着される。このとき、上部基板１１０には液晶層の駆動方式によって共通電圧が供給される共通電極が形成されてもよい。かかる上部基板１１０は、液晶層を透過して入射される光をカラーフィルターでフィルターリングして所定のカラー光を外部に放出させることによって、ディスプレイパネル１００に所定のカラー画像を表示させることができる。
【００２１】
一方、下部基板１２０及び上部基板１１０の具体的な構成は、液晶層の駆動モード、例えば、ＴＮ（Ｔｗｉｓｔｅｄ  Ｎｅｍａｔｉｃ）モード、 ＶＡ（Ｖｅｒｔｉｃａｌ  Ａｌｉｇｎｍｅｎｔ）モード、ＩＰＳ（Ｉｎ  ｐｌａｎｅ  ｓｗｉｔｃｈｉｎｇ）モード、 及びＦＦＳ（Ｆｒｉｎｇｅ  ｆｉｅｌｄ  ｓｗｉｔｃｈｉｎｇ）モードなどによって、当業界に公知された様々な形態で形成されることができる。
【００２２】
下部偏光フィルム１３０は、下部基板１２０の後面に取り付けられてもよい。下部偏光フィルム１３０は下部基板１２０の後面に取り付けられて、バックライトユニットからディスプレイパネル１００に照射される光を偏光させる。
【００２３】
フィルム部材１４０は、上部基板１１０の前面に形成され、長さ方向に該上部基板１１０より長く延長形成された突出部１４１を含む。フィルム部材１４０は、上部基板１１０を透過して外部に放出される光を偏光させる上部偏光フィルムでもよい。
【００２４】
突出部１４１は、少なくとも一つ以上の方向から該上部基板１１０より長く延長形成されることができる。すなわち、図２による一実施例から分かるように、該突出部１４１は、ディスプレイパネル１００の３辺から上部基板１１０より延長形成されることができる。ディスプレイパネル１００の３辺は、図２に示すように、複数の回路フィルム１５０の形成された下部辺を除いた残りの辺である。
【００２５】
ただし、図２による一実施例においては、突出部１４１がディスプレイパネル１００の３辺から延長形成されたことに示したが、本発明に係るディスプレイ装置が必ずこれに限定されるものではない。したがって、場合によっては、突出部１４１がディスプレイパネル１００の一つ以上の辺から延長形成されることもある。
【００２６】
一方、本発明の一実施例に係るディスプレイ装置は、図２から分かるように、ディスプレイパネル１００の第１側に対応される下部基板１２０の縁部に設けられたパッド部に結合された複数の回路フィルム１５０と、複数の回路フィルム１５０に結合された印刷回路基板１６０、及びパッド部と複数の回路フィルム１５０と印刷回路基板１６０を覆うようにカバー部材３００に結合されたデコカバー１７０、及び結合ヒンジ５００をさらに含むことができる。ここで、ディスプレイパネル１００の第１側は、下部基板１２０の第１及び第２長辺のうち第１長辺になってもよい。
【００２７】
複数の回路フィルム１５０にはそれぞれディスプレイパネル１００にデータ信号を供給するためのデータ駆動集積回路（不図示）が実装される。そして、ディスプレイパネル１００の下部基板１２０には、薄膜トランジスターの製造工程によりディスプレイパネル１００にゲート（またはスキャン）信号を供給するためのゲート駆動回路（不図示）が形成される。このような複数の回路フィルム１５０は、ＴＡＢ（Ｔａｐｅ  Ａｕｔｏｍａｔｅｄ  Ｂｏｎｄｉｎｇ）工程によりディスプレイパネル１００のパッド部と印刷回路基板１６０に取り付けられるものであって、ＴＣＰ（Ｔａｐｅ  Ｃａｒｒｉｅｒ  Ｐａｃｋａｇｅ）またはＣＯＦ（Ｃｈｉｐ  Ｏｎ  Ｆｌｅｘｉｂｌｅ  ＢｏａｒｄまたはＣｈｉｐ  Ｏｎ  Ｆｉｌｍ）からなることができる。これによって、ディスプレイパネル１００は複数の回路フィルム１５０を介して印刷回路基板１６０に電気的に接続される。
【００２８】
印刷回路基板１６０は、複数の回路フィルム１５０に電気的に接続されて、ディスプレイパネル１００に画像を表示させるための各種信号を提供する。かかる印刷回路基板１６０には、ディスプレイパネル１００の駆動を制御するためのタイミング制御部（不図示）、各種電源回路（不図示）及びメモリー素子（不図示）などが実装される。
【００２９】
デコカバー１７０は、ディスプレイパネル１００の第１側に対応されるカバー部材３００に結合されて、ディスプレイパネル１００のパッド部と複数の回路フィルム１５０及び印刷回路基板１６０を覆うことによって、ディスプレイパネル１００のパッド部と複数の回路フィルム１５０及び印刷回路基板１６０が外部に露出されることを防止する。一実施例において、デコカバー１７０はカバー部材３００に結合されるフック部材（不図示）を含んで構成されることができる。
【００３０】
結合ヒンジ５００は、本発明に係るディスプレイ装置が図１に示すようにノートパソコンなどに用いられる時、ディスプレイパネルを本体に連結する役割を果たす。したがって、場合によっては、本発明に係るディスプレイ装置がモニターまたはテレビに用いられる場合、結合ヒンジ５００が削除されることもある。
【００３１】
バックライトユニット２００は、カバー部材３００に格納される導光板２１０、反射シート２２０及び光学部材２３０を含む。
【００３２】
導光板２１０は、平板型（またはくさび型）に形成されて、光源（不図示）から入射される光をディスプレイパネル１００側に進行させる。このとき、光源は蛍光ランプまたは発光ダイオードを含むように構成されてもよい。
【００３３】
反射シート２２０は、導光板２１０の下に配置されて、導光板２１０から入射される光をディスプレイパネル１００側に反射させる。
【００３４】
光学部材２３０は、導光板２１０上に配置されて、導光板２１０からディスプレイパネル１００側に進行する光の輝度特性を向上させる。このために、光学部材２３０は、下部拡散シート、下部プリズムシート、上部プリズムシート、及び上部拡散シートのうち少なくとも一つの拡散シート及びプリズムシートを含んで構成されてもよい。
【００３５】
一方、本発明の一実施例に係るディスプレイ装置は、支持ケース２５０及びガイドフレーム２６０をさらに含んで構成されてもよい。
【００３６】
支持ケース２５０は、カバー部材３００に格納されて、ガイドフレーム２６０を支持すると共にバックライトユニット２００を格納する。このために、支持ケース２５０はバックライトユニット２００を支持する支持プレート、及び支持プレートの縁部から垂直に切曲された支持側壁を含んで構成される。
【００３７】
ガイドフレーム２６０は一実施例において、“┓”字形態の断面を有するように四角フレーム状に形成されてカバー部材３００に格納されて、支持ケース２５０の支持側壁上に安着される。かかるガイドフレーム２６０は、接着部材１９０によりディスプレイパネル１００の後面縁部に結合される。このために、ガイドフレーム２６０は、接着部材１９０に結合される水平なパネル結合部、パネル結合部から垂直に切曲されてカバー部材３００に結合されるガイド側壁、及びガイド側壁から突出して形成された第１結合部材２６５を含んで構成されることができる。
【００３８】
パネル結合部は、ディスプレイパネル１００の後面縁部に対向するように平板状で形成される。 かかるパネル結合部は、接着部材１９０の形成を容易にするために、窪んで形成された接着部材形成溝を含んで構成されるとよい。このとき、接着部材１９０は、ガイドフレーム２６０とディスプレイパネル１００の結合力及び厚さなどを考慮して、ディスプレイパネル１００の下部基板１２０に結合されることが好ましいが、これに限定されず、下部偏光フィルム１３０に結合されてもよい。かかる接着部材１９０は、両面テープまたは接着剤であってよい。
【００３９】
ガイド側壁は、カバー部材３００に隣接したパネル結合部の一側から垂直に切曲されてカバー部材３００に結合される。
【００４０】
第１結合部材２６５は、突出面と傾斜面を有するようにガイド側壁の外側面から突出して形成される。一実施例において、第１結合部材２６５はガイド側壁の外側面に直角三角形状の断面を有するように形成される。
【００４１】
一実施例において、カバー部材３００はセットプレート３１０、垂直部３２０及び第２結合部材３３０を含むことができる。
【００４２】
カバー部材３００は、該ディスプレイパネル１００を格納し、該ディスプレイパネル１００の側面をカバーする。カバー部材３００は、前述したバックライトユニット２００の格納された支持ケース２５０を支持すると共に、ディスプレイパネル１００とガイドフレーム２６０の側面を覆い被せることによって、製品化されたディスプレイ装置の後面製品カバー及び側面製品カバーの役割をする。
【００４３】
セットプレート３１０は、平板形状で形成されて前述したバックライトユニット２００の収納された支持ケース２５０を支持することによって、製品化されたディスプレイ装置の後面製品カバーの役割をする。一実施例において、セットプレート３１０は支持ケース２５０の支持プレートに締結される複数の締結ねじにより支持ケース２５０と結合されるとよい。
【００４４】
垂直部３２０は、セットプレート３１０の縁部から垂直に切曲されて形成される。このとき、垂直部３２０はディスプレイパネル１００のうちフィルム部材１４０の高さ位置に至るまで形成されるとよい。かかる垂直部３２０は、ディスプレイパネル１００の側面とガイドフレーム２６０の側面を覆い被せるように外部に露出されることによって、製品化されたディスプレイ装置の側面製品カバーの役割をする。また、垂直部３２０はフィルム部材１４０の高さ位置に至るまで形成されて縁部の段差を除去することによって、デザイン的な側面の美感を向上させることができる。
【００４５】
第２結合部材３３０は、第１結合部材２６５に対応するように、垂直部３２０の内側壁から窪んで形成される。これによって、第１締結部材２６５が第２結合部材３３０に挿入されることによって、ガイドフレーム２６０とカバー 部材３００は相互結合される。このとき、第１結合部材２６５の突出面は、第２結合部材３３０に結合された第１結合部材２６５が離脱することを防止する役割をしており、第１結合部材２６５の傾斜面は、第１及び第２結合部材２６５、３３０の結合を容易にする役割をする。
【００４６】
ただし、前述した実施例においては、ガイドフレーム２６０とカバー部材３００が相互結合されることと説明したが、これに限定されず、ディスプレイ装置１０のデザイン的な側面を考慮して、ガイドフレーム２６０が支持ケース２５０の支持側壁と相互結合されてもよい。この場合、カバー部材３００は、セットプレート３１０と支持ケース２５０の支持プレートとの間に締結される複数の締結ねじにより支持ケース２５０と結合されるとよい。
【００４７】
バンパー部４００は、該カバー部材３００とディスプレイパネル１００の側面との間に形成され、該突出部１４１の後面を支持するように形成される。バンパー部４００は該ディスプレイパネル１００の側面をカバーし、ディスプレイパネル１００の側面から長さ方向に延長されるが、特に、該突出部１４１の末端より長さ方向にさらに長く延長形成され、該突出部１４１の後面を支持することができる。
【００４８】
バンパー部４００は、シリコン系列または紫外線（ＵＶ）硬化系列のシーリング剤、または紫外線硬化性の樹脂からなってもよいが、工程のタックタイム（Ｔａｃｋ  Ｔｉｍｅ）を考慮して紫外線（ＵＶ）硬化系列のシーリング剤からなることができる。このとき、シーリング剤の粘度（Ｖｉｓｃｏｓｉｔｙ）は１５００〜３００００ｃｐｓ範囲内に入るが、これに限定されることはない。また、シーリング剤の色は、無色（または透明）或いは有色（例えば、青色、赤色、または黒色）であってもよく、これに限定されることなく、ディスプレイ装置のデザイン的な側面から選択されるものである。
【００４９】
これによって、バンパー部４００は、該フィルム部材１４０が上部基板１１０から浮き立つ現象を防止することができる。また、バンパー部４００は、ディスプレイパネル１００がカバー部材３００と直接接触することを防止して、衝撃に対する緩衝材の役割を行う。これによって、ディスプレイ装置の前面枠部の幅をより小さくすると共に、前面枠部分の段差を除去することによって、ディスプレイ装置の表示画面に対する視覚的な大きさを増加させてなお、デザイン的な側面の美感を向上させることができる。
【００５０】
図４は本発明に係るディスプレイ装置の他の実施例を示す断面図である。以下、図１ないし図３の一実施例と重複する内容については便宜上説明を省略する。
【００５１】
図４から分かるように、バンパー部４００は該カバー部材３００とディスプレイパネル１００の側面との間に形成されて、該突出部１４１の後面及び側面を支持できるように形成される。
【００５２】
バンパー部４００は、該ディスプレイパネル１００の側面をカバーし、ディスプレイパネル１００の側面から延長されて該突出部１４１の末端より長さ方向にさらに長く延長形成されて、該突出部１４１の後面及び側面を支持することによって、該フィルム部材１４０が上部基板１１０から浮き立つ現象や湿気などの浸透を防止することができる。また、バンパー部４００はディスプレイパネル１００がカバー部材３００と直接接触することを防止して、衝撃に対する緩衝材の役割を行う。
【００５３】
図５は、本発明に係るディスプレイ装置の他の実施例を示す断面図である。以下、図１ないし図３の一実施例と重複する内容については便宜上説明を省略する。
【００５４】
図５から分かるように、バンパー部４００は該カバー部材３００とディスプレイパネル１００の側面との間に形成され、該突出部１４１の後面を支持できるように形成されて、突出部１４１とカバー部材３００との間の離隔空間で該フィルム部材１４０より高く延長して形成される。
【００５５】
バンパー部４００は、該ディスプレイパネル１００の側面をカバーし、ディスプレイパネル１００の側面から延長されて該突出部１４１の末端より長さ方向にさらに長く延長形成され、該突出部１４１の後面を支持することによって、該フィルム部材１４０が上部基板１１０から浮き立つ現象を防止することができる。また、バンパー部４００はディスプレイパネル１００がカバー部材３００と直接接触することを防止して、衝撃に対する緩衝材の役割を果たす。
【００５６】
また、バンパー部４００は、突出部１４１の末端からフィルム部材１４０より高く延長形成されるため、ディスプレイパネル１００が押さえつけられることを防止することができる。例えば、特に、本発明に係るディスプレイ装置が図１に示すようなノートパソコンの形態である時、ディスプレイパネル１００に荷重がかかることを防止することができる。
【００５７】
図６は、本発明に係るディスプレイ装置の他の実施例を示す断面図である。以下、図１ないし図３の一実施例と重複する内容については便宜上説明を省略する。
【００５８】
支持パッド４５０は、該カバー部材３００と該バンパー部４００との間に、特に、垂直部３２０に密着して形成され、ガイドフレーム２６０の一端で支持できるように形成され始め、該ディスプレイパネル１００より高く形成されることができる。
【００５９】
支持パッド４５０は、弾性物質から構成されるため、衝撃を吸収することができる。支持パッド４５０は一実施例において、ゴム、ウレタン、またはポリカーボネートなどの物質を含むことができる。また、支持パッド４５０の色は無色（または透明）或いは有色（例えば、青色、赤色、または黒色）であってもよく、これに限定されることなく、ディスプレイ装置のデザイン的な側面から選択されるものである。
【００６０】
支持パッド４５０は、突出部１４１の末端と垂直部３２０との間にフィルム部材１４０より高く延長形成されるため、ディスプレイパネル１００が板（ｐｌａｔｅ）のような広い物体により押さえつけられることを防止することができる。例えば、特に、本発明に係るディスプレイ装置が図１に示すようなノートパソコンの形態である時、ノートパソコンを閉じた状態でディスプレイパネル１００に荷重がかかることを防止することができる。
【００６１】
図７は、本発明に係るディスプレイ装置の他の実施例を示す断面図である。以下、前述した実施例と重複する内容は便宜上説明を省略する。
【００６２】
支持パッド４５０は、該カバー部材３００と該バンパー部４００との間に、垂直部３２０に密着して形成され、セットプレート３１０の一端で支持できるように形成され始め、該ディスプレイパネル１００より高く形成される。
【００６３】
図８は、本発明に係るディスプレイ装置の他の実施例を示す断面図である。以下、前述した実施例と重複する内容は便宜上説明を省略する。
【００６４】
リターダフィルム１４５は該フィルム部材１４０の前面全体に結合され、リターダフィルム１４５は一定の間隔で形成された複数の第１リターダパターンと、該複数の第１リターダパターン間毎に形成された複数の第２リターダパターンを含むことができる。
【００６５】
リターダフィルム１４５は、フィルム部材１４０の前面に結合されて左眼画像と右眼画像を分離する。このために、リターダフィルム１４５は、左眼画像が表示されるディスプレイパネル１００の垂直または水平ラインに重なるように形成された複数の第１リターダパターンと、右眼画像が表示されるディスプレイパネル１００の垂直または水平ラインに重なるように複数の第１リターダパターン間毎に形成された複数の第２リターダパターンを含んで構成される。かかる第１及び第２リターダパターンは、ディスプレイパネル１００から外部に放出される左眼画像と右眼画像の光軸を相異なる光軸に変換する。
【００６６】
垂直部３２０はリターダフィルム１４５の高さの位置まで形成されるため、美感を向上させることができる。
【００６７】
一方、前述した本発明に係るディスプレイ装置のそれぞれの実施例においては、ディスプレイパネル１００とバックライトユニット２００を含む構成からなる液晶ディスプレイ製品に関して説明した。しかしながら、本発明に係るディスプレイ装置が必ずしもこれに限定されるものではなく、ディスプレイパネル１００は有機発光素子を含む有機発光ディスプレイパネル（Ｏｒｇａｎｉｃ  Ｌｉｇｈｔ  Ｅｍｉｔｔｉｎｇ  Ｄｉｓｐｌａｙ  Ｐａｎｅｌ）に代替できる。この場合、有機発光ディスプレイパネルは自発光素子であるため、バックライトユニット２００が省略されて、さらに支持ケース２５０が省略されることもあり得る。
【００６８】
この場合、有機発光ディスプレイパネルから構成されたディスプレイパネル１００は、下部基板と下部基板に対向して合着された上部基板を含んで構成されることができる。
【００６９】
下部基板は、ゲートライン、データライン及び電源ラインにより定義される領域毎に形成された複数の発光セルを含んで構成される。複数の発光セルは、それぞれゲートラインとデータラインに接続された少なくとも一つのスイッチングトランジスター及び、スイッチングトランジスターと電源（ＶＤＤ）ラインに接続された少なくとも一つの駆動トランジスター並びに駆動トランジスターのスイッチングに応じて制御される電流により発光する発光素子を含んで構成されることができる。
【００７０】
上部基板は、下部基板に対向して合着されて、下部基板に形成された発光素子を保護する。このとき、上部基板は下部基板に形成された駆動トランジスターに接続される発光素子を含んで構成されることができる。この場合、下部基板に形成された発光素子は省略される。
【００７１】
前述した有機発光ディスプレイパネルから構成されたディスプレイパネル１００の上部基板には、前述したフィルム部材が形成されてもよい。
【００７２】
図９ａ乃至図９ｃは、本発明に係るディスプレイ装置の製造方法を示す図面である。
【００７３】
まず、図９ａから分かるように、上部基板１１０の前面に長さ方向に該上部基板１１０より長く延長されるフィルム部材１４０を形成する。
【００７４】
このとき、フィルム部材１４０は上部基板１１０の前面に形成され、長さ方向に該上部基板１１０より長く延長形成された突出部１４１を含む。フィルム部材１４０は上部基板１１０を透過して外部に放出される光を偏光させる上部偏光フィルムでよい。
【００７５】
突出部１４１は、少なくとも一つ以上の方向から該上部基板１１０より長く延長形成されることができる。
【００７６】
このとき、該フィルム部材１４０を形成する段階は、該フィルム部材１４０が長さ方向に該上部基板１１０より長く延長される突出部１４１を有するように、該フィルム部材１４０を切断する段階をさらに含むことができる。すなわち、上部基板１１０より長く延長された突出部１４１を有するフィルム部材１４０を直接該基板１１０の前面に形成してもよく、上部基板１１０にフィルム部材１４０を形成した後、長く延長される突出部１４１を有するように該フィルム部材１４０を切断してもよい。
【００７７】
このとき、該フィルム部材１４０はレーザーを用いて切断してもよい。
【００７８】
次に、該上部基板１１０の側面から延長形成され、該フィルム部材１４０を支持し、該フィルム部材１４０の末端より長さ方向に延長形成されるバンパー部４００を形成する。
【００７９】
バンパー部４００の様々な実施例は、本発明に係るディスプレイ装置で既に詳細に説明しているので、その詳細な説明は重複を避けるために省略する。
【００８０】
次に、該上部基板１１０、フィルム部材１４０及びバンパー部４００を格納し、該バンパー部４００の側面を支持するカバー部材３００を結合する。
【００８１】
前述したような本発明に係るディスプレイ装置の製造方法によれば、第一に、上部ケース及び前面セットカバーを思い切って除去して厚さ及び前面枠部の幅をより小さくすると共に、枠部の段差を除去してデザイン的な側面の美感を向上させることができる。そして、第二に、ディスプレイパネルとカバー部材との間にバンパー部を設けてフィルム部材の剥離を防止し、ディスプレイパネルの内部に湿気などが浸透することを防止することができるディスプレイ装置を製作することができる。
【００８２】
本発明が属する技術分野の当業者ならば、前述した本発明がその技術的思想や必須な構成を変更せず、他の具体的な形態で実施され得るということが理解できるであろう。
【００８３】
したがって、以上で記述した実施例はすべて例示的なものであり、限定的なものではないと理解しなければならない。本発明の範囲は、上記の詳細な説明よりは、後述する特許請求範囲によって表され、特許請求範囲の意味及び範囲、そして、等価概念から導き出されるあらゆる変更または変形された形態が本発明の範囲に含まれるものと解析されるべきである。
【符号の説明】
【００８４】
１００    ディスプレイパネル
１１０    上部基板
１２０    下部基板
１４０    フィルム部材
１７０    デコカバー
２００    バックライトユニット
３００    カバー部材   
３２０    垂直部
４００    バンパー部
４５０    支持パッド
【図１】
0005669807.tif 000002
【図２】
0005669807.tif 000003
【図３】
0005669807.tif 000004
【図４】
0005669807.tif 000005
【図５】
0005669807.tif 000006
【図６】
0005669807.tif 000007
【図７】
0005669807.tif 000008
【図８】
0005669807.tif 000009
【図９ａ】
0005669807.tif 000010
【図９ｂ】
0005669807.tif 000011
【図９ｃ】
0005669807.tif 000012